(57)【要約】【課題】長時間にわたる通信障害が発生するのを未然に防ぐことができる光加入者線終端装置を提供する。【解決手段】光加入者線終端装置１０１であって、ログをリアルタイムに記録するためのログ保存部１０３と、複数の既知の故障症状のそれぞれに対する故障が起こる前兆のログパターンを記憶させておくログパターン保存部１０７と、ログ保存部に記録されたログを所定の周期で読み出して解析するログ解析部１０３と、ログ解析部１０３における解析結果に基づいて所定の処理を行うＯＬＴ制御部１０４と、を備え、ログ解析部１０５は、ログ保存部１０３に記録されたログと、ログパターン保存部１０７に記憶されたログパターンと、を照合し、ログパターンの中にログ保存部１０３が取得したログと一致するものが存在する場合、ＯＬＴ制御部１０４は、当該一致したログパターンに対応する既知の故障症状を通知する。【選択図】図１
2019047157.tif 000002
【特許請求の範囲】
【請求項１】
ＰＯＮシステムにおいて、一または複数の光加入者線ネットワーク装置と光ファイバにより接続されている光加入者線終端装置であって、
前記光加入者線終端装置および前記光加入者線ネットワーク装置の状態や通信状況などに関するログをリアルタイムに記録するためのログ保存部と、
複数の既知の故障症状のそれぞれに対する故障が起こる前兆のログパターンを記憶させておくログパターン保存部と、
前記ログ保存部に記録されたログを所定の周期で読み出して解析するログ解析部と、
前記ログ解析部における解析結果に基づいて所定の処理を行うＯＬＴ制御部と、を備え、
前記ログ解析部は、前記ログ保存部に記録されたログと、前記ログパターン保存部に記憶されたログパターンと、を照合し、前記ログパターンの中に前記ログ保存部が取得したログと一致するものが存在する場合、前記ＯＬＴ制御部は、当該一致したログパターンに対応する既知の故障症状を通知する、光加入者線終端装置。
【請求項２】
前記ログ保存部に記録されたログが、前記ログパターン保存部に記憶されたログパターンのうちの致命的な故障の前兆となるログパターンと一致する場合、前記ＯＬＴ制御部は、装置の交換を促すアラームを通知する、請求項１に記載の光加入者線終端装置。
【請求項３】
前記ログ保存部に記録されたログが、前記ログパターン保存部に記憶されたログパターンのうちの致命的でない故障の前兆となるログパターンと一致する場合、前記ＯＬＴ制御部は、前記ＰＯＮシステムにおける、前記光加入者線ネットワーク装置および前記光加入者線終端装置以外の設備の検査を行う旨を通知する、請求項１または２に記載の光加入者線終端装置。
【請求項４】
ＰＯＮシステムにおいて、一または複数の光加入者線ネットワーク装置と光ファイバにより接続され、ログ保存部およびログパターン保存部を有する光加入者線終端装置の制御方法であって、
前記光加入者線終端装置および前記光加入者線ネットワーク装置の状態や通信状況などに関するログをリアルタイムに前記ログ保存部に記録する第１ステップと、
複数の既知の故障症状のそれぞれに対する故障が起こる前兆のログパターンを予め前記ログパターン保存部に記憶させておく第２ステップと、
前記ログ保存部に記録されたログを所定の周期で読み出して解析する第３ステップと、
前記ログ保存部に記録されたログと、前記ログパターン保存部に記憶されたログパターンと、を照合し、前記ログパターンの中に前記ログ保存部に記録されたログと一致するものが存在する場合、当該一致したログパターンに対応する既知の故障症状を通知する第４ステップと、を有する、光加入者線終端装置の制御方法。
【請求項５】
前記第４ステップにおいて、前記ログ保存部が取得したログが、前記ログパターン保存部に記憶されたログパターンのうちの致命的な故障の前兆となるログパターンと一致する場合、装置の交換を促すアラームを通知する、請求項４に記載の光加入者線終端装置の制御方法。
【請求項６】
前記第４ステップにおいて、前記ログ保存部が取得したログが、前記ログパターン保存部に記憶されたログパターンのうちの致命的でない故障の前兆となるログパターンと一致する場合、前記ＰＯＮシステムにおける、前記光加入者線ネットワーク装置および前記光加入者線終端装置以外の設備の検査を行う旨を通知する、請求項４または５に記載の光加入者線終端装置の制御方法。
【請求項７】
ＰＯＮシステムにおいて、一または複数の光加入者線ネットワーク装置と光ファイバにより接続され、ログ保存部およびログパターン保存部を有する光加入者線終端装置の制御方法であって、
前記光加入者線終端装置および前記光加入者線ネットワーク装置の状態や通信状況などに関するログをリアルタイムに前記ログ保存部に記録する第１処理と、
複数の既知の故障症状のそれぞれに対する故障が起こる前兆のログパターンを予め前記ログパターン保存部に記憶させておく第２処理と、
前記ログ保存部に記録されたログを所定の周期で読み出して解析する第３処理と、
前記ログ保存部に記録されたログと、前記ログパターン保存部に記憶されたログパターンと、を照合し、前記ログパターンの中に前記ログ保存部に記録されたログと一致するものが存在する場合、当該一致したログパターンに対応する既知の故障症状を通知する第４処理と、をコンピュータに実行させる、光加入者線終端装置の制御プログラム。
【請求項８】
前記第４処理において、前記ログ保存部が取得したログが、前記ログパターン保存部に記憶されたログパターンのうちの致命的な故障の前兆となるログパターンと一致する場合、装置の交換を促すアラームを通知する、請求項７に記載の光加入者線終端装置の制御プログラム。
【請求項９】
前記第４処理において、前記ログ保存部が取得したログが、前記ログパターン保存部に記憶されたログパターンのうちの致命的でない故障の前兆となるログパターンと一致する場合、前記ＰＯＮシステムにおける、前記光加入者線ネットワーク装置および前記光加入者線終端装置以外の設備の検査を行う旨を通知する、請求項７または８に記載の光加入者線終端装置の制御プログラム。
【発明の詳細な説明】
【技術分野】
【０００１】
本発明は、光加入者線終端装置、光加入者線終端装置の制御方法及び制御プログラムに関する。
【背景技術】
【０００２】
ＦＴＴＨ（Ｆｉｂｅｒ  Ｔｏ  Ｔｈｅ  Ｈｏｍｅ）を実現するための技術の一つとして、１台の光加入者線終端装置であるＯＬＴ（Ｏｐｔｉｃａｌ  Ｌｉｎｅ  Ｔｅｒｍｉｎａｌ）に光分岐器を介して複数の光加入者ネットワーク装置であるＯＮＵ（Ｏｐｔｉｃａｌ  Ｎｅｔｗｏｒｋ  Ｕｎｉｔ）を光ケーブルでスター型接続するＰＯＮ（Ｐａｓｓｉｖｅ  Ｏｐｔｉｃａｌ  Ｎｅｔｗｏｒｋ）システムが知られている。ＰＯＮシステムは、複数のＯＮＵを、光ケーブルを介して共有するため、経済的にネットワークの構築ができるというメリットがある。
【０００３】
ＰＯＮシステムにおいて、ＯＬＴ、ＯＮＵの故障または通信障害が生じた場合、ログを解析して不具合が生じている装置を調査する必要がある。特許文献１には、複数の子局装置の何れかの子局装置とのロジカルリンク断を検出した場合に、ログ保存部に保存されているログを解析して誤発光状態にある子局装置を推定し、当該子局装置に強制消灯命令を送信して、誤発光状態にある子局装置を特定するＰＯＮシステムが記載されている。
【先行技術文献】
【特許文献】
【０００４】
【特許文献１】特開２０１３−１３５２８８号公報
【発明の概要】
【発明が解決しようとする課題】
【０００５】
しかしながら、特許文献１に記載のＰＯＮシステムは、ＯＬＴやＯＮＵの故障、または、ＯＬＴやＯＮＵ以外の設備において通信障害が生じた時に対応するものであり、装置の交換を行うまでの期間において通信障害が発生していた。このように長時間にわたり通信障害が発生すると、加入者側に多大な負担をかけることになる。このため、通信障害を未然に防ぐことが求められている。
【０００６】
本発明は、以上の背景に鑑みなされたものであり、長時間にわたる通信障害が発生するのを未然に防ぐことができる光加入者線終端装置を提供することを目的とする。
【課題を解決するための手段】
【０００７】
本発明は、ＰＯＮシステムにおいて、一または複数の光加入者線ネットワーク装置と光ファイバにより接続されている光加入者線終端装置であって、前記光加入者線終端装置および前記光加入者線ネットワーク装置の状態や通信状況などに関するログをリアルタイムに記録するためのログ保存部と、複数の既知の故障症状のそれぞれに対する故障が起こる前兆のログパターンを記憶させておくログパターン保存部と、前記ログ保存部に記録されたログを所定の周期で読み出して解析するログ解析部と、前記ログ解析部における解析結果に基づいて所定の処理を行うＯＬＴ制御部と、を備え、前記ログ解析部は、前記ログ保存部に記録されたログと、前記ログパターン保存部に記憶されたログパターンと、を照合し、前記ログパターンの中に前記ログ保存部が取得したログと一致するものが存在する場合、前記ＯＬＴ制御部は、当該一致したログパターンに対応する既知の故障症状を通知するものである。
【０００８】
また、本発明は、ＰＯＮシステムにおいて、一または複数の光加入者線ネットワーク装置と光ファイバにより接続され、ログ保存部およびログパターン保存部を有する光加入者線終端装置の制御方法であって、前記光加入者線終端装置および前記光加入者線ネットワーク装置の状態や通信状況などに関するログをリアルタイムに前記ログ保存部に記録する第１ステップと、複数の既知の故障症状のそれぞれに対する故障が起こる前兆のログパターンを予め前記ログパターン保存部に記憶させておく第２ステップと、前記ログ保存部に記録されたログを所定の周期で読み出して解析する第３ステップと、前記ログ保存部に記録されたログと、前記ログパターン保存部に記憶されたログパターンと、を照合し、前記ログパターンの中に前記ログ保存部に記録されたログと一致するものが存在する場合、当該一致したログパターンに対応する既知の故障症状を通知する第４ステップと、を有するものである。
【０００９】
さらに、本発明は、ＰＯＮシステムにおいて、一または複数の光加入者線ネットワーク装置と光ファイバにより接続され、ログ保存部およびログパターン保存部を有する光加入者線終端装置の制御方法であって、前記光加入者線終端装置および前記光加入者線ネットワーク装置の状態や通信状況などに関するログをリアルタイムに前記ログ保存部に記録する第１処理と、複数の既知の故障症状のそれぞれに対する故障が起こる前兆のログパターンを予め前記ログパターン保存部に記憶させておく第２処理と、前記ログ保存部に記録されたログを所定の周期で読み出して解析する第３処理と、前記ログ保存部に記録されたログと、前記ログパターン保存部に記憶されたログパターンと、を照合し、前記ログパターンの中に前記ログ保存部に記録されたログと一致するものが存在する場合、当該一致したログパターンに対応する既知の故障症状を通知する第４処理と、をコンピュータに実行させるものである。
【発明の効果】
【００１０】
本発明によれば、長時間にわたる通信障害が発生するのを未然に防ぐことができる。
【図面の簡単な説明】
【００１１】
【図１】本発明の概要について説明する図である。
【図２】実施の形態１にかかるＯＬＴを含む、ＰＯＮシステムの構成を示すブロック図である。
【図３】実施の形態１にかかるＯＬＴにおける、ログの解析による、ＰＯＮシステムにおける故障の前兆の発見や装置の故障の前兆と設備の不具合の前兆との切り分けを行う処理の流れを示すフローチャートである。
【図４】図３のステップＳ１０７において、アラーム通知部より装置以外の設備を検査する旨のアラームが通知されたときの作業者の対応の流れを示すフローチャートである。
【図５】実施の形態２にかかるＯＬＴを含む、ＰＯＮシステムの構成を示すブロック図である。
【図６】図５において破線で囲まれた領域Ａの詳細な構成である。
【図７】ＰＯＮシステムにおいて、エラーログが発生したときのログを自動的に解析して故障の前兆となるログパターンを生成し、各ＯＬＴにおけるログパターン保存部に記憶させる処理の流れを示すフローチャートである。
【発明を実施するための形態】
【００１２】
［本発明の特徴］
本発明の実施の形態の説明に先立って、本発明の特徴についてその概要をまず説明する。本発明は、ＰＯＮシステムにおいて、一または複数のＯＮＵと光ファイバにより接続されているＯＬＴに関するものである。
【００１３】
図１は、本発明の概要について説明する図である。図１に示すように、ＯＬＴ１０１は、ログ保存部１０３と、ログパターン保存部１０７と、ログ解析部１０５と、ＯＬＴ制御部１０４と、を備える。ログ保存部１０３は、ＯＬＴ１０１およびＯＮＵの状態や通信状況などに関するログをリアルタイムに記録する。ログパターン保存部１０７は、複数の既知の故障症状のそれぞれに対する故障が起こる前兆のログパターンを予め記憶させておく。ログ解析部１０５は、ログ保存部１０３に記録されたログを所定の周期で読み出して解析する。ＯＬＴ制御部１０４は、ログ解析部１０５における解析結果に基づいて所定の処理を行う。
【００１４】
ログ解析部１０５は、ログ保存部１０３に記録されたログと、ログパターン保存部１０７に記憶されたログパターンと、を照合し、ログパターンの中にログ保存部１０３に記録されたログと一致するものが存在する場合、ＯＬＴ制御部１０４は、当該一致したログパターンに対応する既知の故障症状を通知するものである。
【００１５】
以上より、ＯＬＴ１０１は、故障状態だけでなく、故障の前兆も監視するため、長時間にわたる通信障害が発生するのを未然に防ぐことが出来る。
【００１６】
［実施の形態１］
以下、図面を参照して本発明の実施の形態１について説明する。
まず、実施の形態１にかかるＯＬＴを含む、ＰＯＮシステムの概略構成について説明する。
【００１７】
図２は、本実施の形態にかかるＯＬＴ２０１を含む、ＰＯＮシステム２００の構成を示すブロック図である。図２に示すように、ＰＯＮシステム２００は、ＯＬＴ２０１と複数のＯＮＵ２１０が、光スプリッタ２０９を介して光ファイバ２０８で接続されている。光スプリッタ２０９は、光ファイバ２０８を分岐するものである。
【００１８】
ＯＬＴ２０１は、ログ保存部２０３と、ＯＬＴ制御部２０４と、ログ解析部２０５と、光送受信器２０６と、ログパターン保存部２０７と、アラーム通知部２０２と、を備えている。ＯＬＴ制御部２０４は、ＯＬＴ２０１における各部を制御する。光送受信器２０６は、ＯＮＵ２１０との光信号のやりとりを行うためのものである。
【００１９】
ログ保存部２０３は、ＯＬＴ制御部２０４の命令によって、ＯＬＴ２０１およびＯＮＵ２１０の状態や通信状況などに関するログをリアルタイムに記録するものである。なお、ＯＮＵ２１０の状態に関する情報を含む光信号は光送受信器２０６において受信され、ＯＬＴ制御部２０４に送られる。そして、ＯＮＵ２１０の状態に関するログは、ＯＬＴ制御部２０４からログ保存部２０３に送信され、ログ保存部２０３において記録される。
【００２０】
ログパターン保存部２０７は、ＯＬＴ制御部２０４の命令によって、エラーログや、既知の故障の前兆となるログパターンを故障症状別に予め記憶させておくものである。ここで、既知の故障の前兆となるログパターンとは、ＯＬＴ２０１やＯＮＵ２１０に障害または故障が起きた時の直前のログである。ＯＬＴ２０１、ＯＮＵ２１０を運用・保守をしていく上で、既知の故障が起こる前兆として、ある特定の現象が現れると考えられる。例えば、ランダムなＯＮＵのリンクアップ/ダウンの頻繁な繰り返し等がある。
【００２１】
既知の故障の前兆となるログパターンは、致命的な故障の前兆となるログパターンと、致命的ではない故障の前兆となるログパターンに分類される。致命的ではない故障の前兆となるログパターンには、装置（ＯＬＴ２０１および／またはＯＮＵ２１０）に起因する故障の前兆の他に、例えばＯＮＵ２１０のロジカルリンクのリンクアップ／ダウンが長時間繰り返される場合のように、装置以外の設備（光ファイバ２０８および／またはや光スプリッタ２０９に起因する通信障害の前兆となるログパターンが含まれる。
【００２２】
ログ解析部２０５は、ログ保存部２０３に記録されたログを所定の周期で取得して解析する。また、ログ解析部２０５は、ログ保存部２０３からログを取得した際または事前に、ログパターン保存部２０７からエラーログや既知の故障の前兆となるログパターンを取得する。そして、ログ解析部２０５において、ログ保存部２０３から取得したログと、ログパターン保存部２０７から取得したエラーログおよび既知の故障の前兆となるログパターンと、を照合する。
【００２３】
ログ解析部２０５における照合の結果はＯＬＴ制御部２０４に送られ、ＯＬＴ制御部２０４において照合の結果に対応した処理が行われる。ログ解析部２０５における照合の結果、ログ保存部２０３から取得したログがエラーログまたは致命的な故障の前兆となるログパターンと一致している場合には、ＯＬＴ制御部２０４は、アラーム通知部２０２において装置（ＯＬＴ２０１および／またはＯＮＵ２１０）の交換を促すアラームが通知されるようにする。ここで、取得したログがエラーログまたは致命的な故障の前兆となるログパターンと一致している、とは、取得したログがエラーログまたは致命的な故障の前兆となるログパターンと、完全に一致している場合にのみならず、酷似している場合も含む。
【００２４】
ログ解析部２０５における照合の結果、ログ保存部２０３から取得したログが致命的なエラーではない前兆となるログパターンと一致している場合には、装置（ＯＬＴ２０１および／またはＯＮＵ２１０）の問題か装置以外の設備（光ファイバ２０８および／または光スプリッタ２０９）の問題かを切り分けする必要があるため、ＯＬＴ制御部２０４は、アラーム通知部２０２において装置以外の設備の検査が必要である旨のアラームが通知されるようにする。
【００２５】
ログ解析部２０５における照合の結果、ログパターン保存部２０７から取得した既知のログパターンの中にログ保存部２０３から取得したログと一致するものがない場合、ＯＬＴ制御部２０４は、通信を継続する旨の命令を光送受信器２０６に出す。
【００２６】
次に、ＯＬＴ２０１における、ログの解析による、ＰＯＮシステム２００における故障の前兆の発見や装置の故障の前兆と設備の不具合の前兆との切り分けを行う処理の流れについて説明する。なお、以下の説明では、図２についても適宜参照するものとする。
【００２７】
図３は、ＯＬＴ２０１における、ログの解析による、ＰＯＮシステム２００における故障の前兆の発見や装置の故障の前兆と設備の不具合の前兆との切り分けを行う処理の流れを示すフローチャートである。図３に示すように、まず、ログ解析部２０５が、ログパターン保存部２０７から、エラーログおよび既知の故障の前兆となるログパターンを取得する（ステップＳ１０１）。
【００２８】
続いて、ログ保存部２０３においてログをリアルタイムに記録する（ステップＳ１０２）。すなわち、ログ保存部２０３において、装置の状態、ＯＮＵ２１０のログオフやロジカルリンクのリンクアップ／リンクダウンなどの通信の状態などに関するログを都度記録する。続いて、ログ解析部２０５が、ログ保存部２０３からログを所定の周期で取得する（ステップＳ１０３）。続いて、ログ解析部２０５において、ログ保存部２０３から取得したログとログパターン保存部２０７から取得したエラーログおよび既知の故障の前兆となるログパターンとの照合を行い、ログ保存部２０３から取得したログと一致するエラーログまたは既知の故障の前兆となるログパターンが存在するか否かを判断する（ステップＳ１０４）。
【００２９】
ステップＳ１０４における照合の結果、ログ保存部２０３から取得したログと一致するエラーログまたは既知の故障の前兆となるログパターンが存在しなかった場合（ＮＯの場合）、ＯＬＴ制御部２０４は、処理をステップＳ１０２に戻し、通信を維持する。ステップＳ１０４における照合の結果、ログ保存部２０３から取得したログと一致するエラーログまたは既知の故障の前兆となるログパターンが存在した場合（ＹＥＳの場合）、ログ解析部２０５は、取得したログがエラーログと一致するか否かを判定する（ステップＳ１０５）。
【００３０】
ステップＳ１０５において、ログ保存部２０３から取得したログがエラーログと一致する場合（ＹＥＳの場合）、ＯＬＴ制御部２０４は、直ちに装置の交換を行う旨のアラームを通知する（ステップＳ１０６）。ステップＳ１０５において、ログ保存部２０３から取得したログがエラーログと一致しない場合（ＮＯの場合）、ログ解析部２０５は、取得したログが致命的な故障の前兆となるログパターンと一致するか否かを判定する（ステップＳ１０７）。
【００３１】
ステップＳ１０７において、ログ保存部２０３から取得したログが致命的な故障の前兆となるログパターンと一致する場合（ＹＥＳの場合）、ＯＬＴ制御部２０４は、一致するログパターンに対応する故障症状と共に、装置の交換を行う旨のアラームを通知する（ステップＳ１０８）。当該アラームに従うことにより、故障の前兆が確認された時点で装置の交換を行えば、装置の故障による通信障害を未然に防ぐことが可能になる。また、一致するログパターンに対応する故障症状の情報が通知されることにより、どのような故障症状の前兆かが特定できるので、後の解析作業に要する時間を短縮することができる。
【００３２】
ステップＳ１０７において、ログ保存部２０３から取得したログが致命的な故障の前兆となるログパターンと一致しない場合（ＮＯの場合）、ＯＬＴ制御部２０４は、装置以外の設備の検査が必要である旨のアラームを通知する（ステップＳ１０９）。具体的には、光ファイバ２０８や光スプリッタ２０９の検査、および、光ファイバ２０８の端面の汚れなどを検査するよう、アラームを通知する。
【００３３】
図４は、図３のステップＳ１０７において、アラーム通知部２０２より装置以外の設備を検査する旨のアラームが通知されたときの作業者の対応の流れを示すフローチャートである。図４に示すように、まず、作業者は、アラーム通知部２０２より設備検査通知を受け、設備を検査する（ステップＳ２０１）。次に、作業者は、検査によって、設備に不良が発見されたか否かを確認する（ステップＳ２０２）。ステップＳ２０２において、設備に不良が発見された場合（ＹＥＳの場合）、発見された設備の不良に対応した処置を実施する（ステップＳ２０３）。ステップＳ２０２において、設備に不良が発見されなかった場合（ＮＯの場合）、装置に故障の前兆がある可能性があるため、装置の予防交換を行う（ステップＳ２０４）。
【００３４】
以上より、本実施の形態にかかるＯＬＴ２０１は、ログ解析部２０５において、ログ保存部２０３から取得したログと、エラーログおよび予め記憶された既知の故障の前兆となるログパターンと、を照合する。そして、ログ保存部２０３から取得したログが、致命的な故障の前兆となるログパターンと一致する場合は、ＯＬＴ制御部２０４は、装置の交換が必要な旨のアラームを通知し、致命的な故障の前兆ではないログパターンと一致する場合は装置以外の設備の検査が必要な旨のアラームを通知する。これにより、故障状態だけでなく、故障の前兆も監視するため、長時間にわたる通信障害が発生するのを未然に防ぐことが出来る。故障の前兆が、装置の故障か装置以外の設備の不具合かの切り分けを行うことができる。これにより、装置の解析作業者の負担を軽減し、素早い修理対応が可能になる。
【００３５】
［実施の形態２］
以下、図面を参照して本発明の実施の形態２について説明する。なお、実施の形態１と共通の部分については共通の符号を付してその説明を省略する。
【００３６】
まず、本実施の形態にかかるＯＬＴ３０１を含む、ＰＯＮシステム３００の概略構成について説明する。
図５は、本実施の形態にかかるＯＬＴ３０１を含む、ＰＯＮシステム３００の構成を示すブロック図である。図６は、図５において破線で囲まれた領域Ａの詳細な構成である。図５に示すように、ＰＯＮシステム３００は、ＡＩ（Ａｒｔｉｆｉｃｉａｌ  Ｉｎｔｅｌｌｉｇｅｎｃｅ）を適用したログパターン解析サーバー３０８と複数のＯＬＴ３０１と接続し、各ＯＬＴ３０１から取得したログをクラウド形式で管理する。
【００３７】
図６に示すように、ＯＬＴ３０１は、ログ保存部２０３と、ＯＬＴ制御部２０４と、ログ解析部２０５と、光送受信器２０６と、ログパターン保存部２０７と、アラーム通知部２０２と、を備えている。すなわち、本実施の形態にかかるＯＬＴ３０１の構成は、図２に示す実施の形態１にかかるＯＬＴ２０１の構成と基本的には同じである。
【００３８】
ＰＯＮシステム３００において、ログパターン解析サーバー３０８は、各ＯＬＴ３０１、および、各ＯＬＴ３０１に接続されたＯＮＵ２１０から取得したログから自動的に故障の前兆となるログパターンを解析する。そして、ログパターン解析サーバー３０８は、解析結果により得られた故障の前兆となるログパターンを各ＯＬＴ３０１におけるＯＬＴ制御部３０４に送信し、各ＯＬＴ３０１において、ＯＬＴ制御部３０４は、受信したログパターンをログパターン保存部２０７に記憶させる。
【００３９】
ＯＬＴ３０１における、ログの解析による、ＰＯＮシステム２００における故障の前兆の発見や装置の故障の前兆と設備の不具合の前兆との切り分けを行う処理の流れは、実施の形態１において、図３に示したフローチャートと基本的には同じである。実施の形態１にかかるＯＬＴ２０１では、図３のステップＳ１０１に示すように、ログ解析部２０５が、ログパターン保存部２０７からエラーログおよび既知の故障の前兆となるログパターンを取得する。一方、本実施の形態にかかるＯＬＴ３０１では、このようにする代わりに、ログパターン解析サーバー３０８において、エラーログが発生したときのログを自動的に解析することによって生成された故障の前兆となるログパターンを、各ＯＬＴ３０１におけるログパターン保存部２０７に記憶させる。この点が、実施の形態１にかかるＯＬＴ２０１と相違する。
【００４０】
次に、ＰＯＮシステム３００において、エラーログが発生したときのログを自動的に解析して故障の前兆となるログパターンを生成し、各ＯＬＴ３０１におけるログパターン保存部２０７に記憶させる処理の流れを説明する。
図７は、ＰＯＮシステム３００において、エラーログが発生したときのログを自動的に解析して故障の前兆となるログパターンを生成し、各ＯＬＴ３０１におけるログパターン保存部２０７に記憶させる処理の流れを示すフローチャートである。
【００４１】
図７に示すように、まず、各ＯＬＴ３０１において、ＯＬＴ制御部３０４が、ログをリアルタイムに取得してログ保存部２０３に記録する（ステップＳ３０１）。次に、ＯＬＴ３０１におけるＯＬＴ制御部３０４において取得したログにエラーログが発生した場合、エラーログが発生したＯＬＴ３０１は、エラーログの発生前１時間程度のログをログパターン解析サーバー３０８に送る（ステップＳ３０２）。次に、ログパターン解析サーバー３０８が、各ＯＬＴ３０１より、当該エラーログの発生前後のログを収集する（ステップＳ３０３）。次に、各ＯＬＴ３０１より収集した当該エラーログの発生前後のログをエラー症状別に解析し、ログパターンが発見できたか否かを判定する（ステップＳ３０４）。そして、ステップＳ３０４においてログパターンが発見できた場合（ＹＥＳの場合）、発見されたログパターンを各ＯＬＴ３０１のログパターン保存部２０７に記憶させる（ステップＳ３０５）。ステップＳ３０４においてログパターンが発見できなかった場合（ＮＯの場合）、処理をステップＳ３０１に戻す。
【００４２】
以上より、ＰＯＮシステム３００では、ログパターン解析サーバー３０８において、エラーログが発生したときのログを自動的に解析して故障の前兆となるログパターンを生成する。そして、ログパターン解析サーバー３０８から各ＯＬＴ３０１に当該ログパターンを送信し、各ＯＬＴ３０１におけるＯＬＴ制御部３０４は、ログパターン保存部２０７に当該ログパターンを記憶させる。このようにすることで、故障の前兆となるログパターンを別途作成する手間が省ける。
【００４３】
なお、本発明は上記実施の形態に限られたものではなく、趣旨を逸脱しない範囲で適宜変更することが可能である。
【００４４】
上述の実施の形態では、本発明をハードウェアの構成として説明したが、本発明は、これに限定されるものではない。本発明は、各処理を、ＣＰＵ（Ｃｅｎｔｒａｌ  Ｐｒｏｃｅｓｓｉｎｇ  Ｕｎｉｔ）を有するコンピュータに制御プログラムを実行させることにより実現することも可能である。
【００４５】
上述の例において、制御プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒy）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ）を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４６】
なお、本発明の原理を、ルーター装置等を含む通信システムやサーバー系のシステムに適用することも可能である。
【符号の説明】
【００４７】
１０１、２０１  ＯＬＴ
１０３  ログ保存部
１０４、２０４、３０４  ＯＬＴ制御部
１０５  ログ解析部
１０７  ログパターン保存部
２００、３００  ＰＯＮシステム
２０２  アラーム通知部
２０３  ログ保存部
２０５  ログ解析部
２０６  光送受信器
２０７  ログパターン保存部
２０８  光ファイバ
２０９  光スプリッタ
２１０  ＯＮＵ
３０８  ログパターン解析サーバー
【図１】
2019047157.tif 000003
【図２】
2019047157.tif 000004
【図３】
2019047157.tif 000005
【図４】
2019047157.tif 000006
【図５】
2019047157.tif 000007
【図６】
2019047157.tif 000008
【図７】
2019047157.tif 000009